(57)【要約】【課題】光学読取り用紙片が汚れることなく、高効率で製造可能な複写帳票を提供することを目的とする。【解決手段】前記課題の目的を達成するために、光学読取り紙片を含み、複数枚の紙片の少なくとも１端が綴じられて使用される複写帳票において、最上位の紙片を裏面に複写材料を伴わない光学読取り伝票とし、２枚目または、３枚目より下位に丁合される紙片を控用の伝票とした複写帳票を提供する。【選択図】  図１
2005231181.tif 000002
【特許請求の範囲】
【請求項１】
光学読取り紙片を含み、複数枚の紙片の少なくとも１端が綴じられて使用される複写帳票において、
最上位の紙片を裏面に複写材料を伴わない光学読取り伝票とし、２枚目または、３枚目より下位に丁合される紙片を控用の伝票としたことを特徴とする複写帳票。
【請求項２】
請求項１に記載の複写帳票において、
２枚目の紙片は、紙片の裏面の少なくとも一部に複写用のカーボンが塗布され、３枚目の伝票に１枚目に記載された情報を複写するためだけに設けられた紙片であることを特徴とする複写帳票。
【請求項３】
請求項１に記載の複写帳票において、
２枚目の紙片は、紙片の表面に自己発色材料が塗布され、裏面に複写用の発色剤が塗布された伝票であることを特徴とする複写帳票。
【請求項４】
請求項２に記載の複写帳票において、
３枚目より下位に丁合された紙片には、最下片以外は何れも裏面に複写用のカーボンが塗布された伝票であることを特徴とする複写帳票。
【請求項５】
請求項３に記載の複写帳票において、
３枚目より下位に丁合された紙片の表面には顕色剤が、裏面には、最下片以外は何れも複写用の発色剤が塗布された伝票であることを特徴とする複写帳票。
【発明の詳細な説明】
【技術分野】
【０００１】
本発明は、光学読取り紙片を含み、複数枚の紙片の少なくとも１端が綴じられて使用される複写帳票に関する。
【背景技術】
【０００２】
手書きされた漢字，仮名，アルファベット，数字，記号などの情報を電子化して保存する場合、手書きされた情報を見ながらキー入力するか、ＯＣＲ（Ｏｐｔｉｃａｌ  Ｃｈａｒａｃｔｅｒ  Ｒｅｃｏｇｎｉｔｉｏｎ、または、Ｏｐｔｉｃａｌ  Ｃｈａｒａｃｔｅｒ  Ｒｅａｄｅｒ）などで、光学的に読取って、コード変換して保存する。
ＯＣＲの光源には、可視光から、赤外の波長領域が多く利用される。そのために、ＯＣＲでは紙の表面の汚れを最も嫌う。
復数枚丁合された複写帳票の手書き情報を電子化する場合、通常最も鮮明度が高い1枚目の伝票を入力用として使用する。
【０００３】
前述のように、ＯＣＲでは紙の表面の汚れを最も嫌うために、汚れの発生を防ぐための技術が開示されている。この開示技術によれば、ＯＣＲ紙の裏側に形成されたカーボンの擦れによる汚れを防止するために、形成されたカーボン部分を擦れに強い透明樹脂で被覆するものである（例えば特許文献１参照）。
複写の手段として、紙の裏側に印刷したカーボンを筆圧や、インパクトプリンタの圧力によって下位に形成された紙片に転写する方法と、染料を油と一緒にカプセルに内包し、そのカプセルを紙片の裏側に塗布し、重ね書きされた際に筆圧によって破壊された上用紙のカプセルから流れ出した油と下用紙の表面の顕色剤とを反応させて発色させる方法がある。
後者の染料を使ったノーカーボンによる複写物は、保存性が良くない（紫外線を吸収して、または、酸化して退色する）ために、長期保存を必要とする複写帳票にはカーボンを使用する。
【０００４】
一方、複写帳票を作製する場合に、それぞれ丁合する枚目をロールで給紙する方法と、ジグザグ折りで給紙する方法がある。
大量に製造する場合、製造効率の面で前述のロール給紙方法が選択される。
この方法で給紙する場合に、前述の開示技術では、手書き面、即ち光学読取り面が印刷されたカーボンで汚れてしまうという課題がある。
【０００５】
【特許文献１】実開平５−９９７６号公報
【発明の開示】
【発明が解決しようとする課題】
【０００６】
そこで本発明は、光学読取り用紙片が汚れること無く、高効率で製造可能な複写帳票を提供することを目的とする。
【課題を解決するための手段】
【０００７】
前記課題の目的を達成するために、本発明の複写帳票の請求項１に記載の発明は、光学読取り紙片を含み、複数枚の紙片の少なくとも１端が綴じられて使用される複写帳票において、最上位の紙片を裏面に複写材料を伴わない光学読取り伝票とし、２枚目または、３枚目より下位に丁合される紙片を控用の伝票としたことを特徴とするものである。
【０００８】
また、請求項２に記載の発明は、請求項１に記載の発明において、２枚目の紙片は、紙片の裏面の少なくとも一部に複写用のカーボンが塗布され、３枚目の伝票に１枚目に記載された情報を複写するためだけに設けられた紙片であることを特徴とするものである。
【０００９】
また、請求項３に記載の発明は、請求項１に記載の発明において、２枚目の紙片は、紙片の表面に自己発色材料が塗布され、裏面に複写用の発色剤が塗布された伝票であることを特徴とするものである。
【００１０】
また、請求項４に記載の発明は、請求項２に記載の発明において、３枚目より下位に丁合された紙片には、最下片以外は何れも裏面に複写用のカーボンが塗布された伝票であることを特徴とするものである。
【００１１】
また、請求項５に記載の発明は、請求項３に記載の発明において、３枚目より下位に丁合された紙片の表面には顕色剤が、裏面には、最下片以外は何れも複写用の発色剤が塗布された伝票であることを特徴とするものである。
【発明の効果】
【００１２】
１）請求項１，請求項２，請求項４に記載のように、光学読取り紙片を含み、複数枚の紙片の少なくとも１端が綴じられて使用される複写帳票において、最上位の紙片を裏面に複写材料を伴わない光学読取り伝票とし、２枚目より下位に丁合された紙片は、最下紙片を除いて裏面の少なくとも一部にカーボンが塗布された紙片とすることによって、光学読取り部分の汚れが発生せず、長期間保存が可能な複写帳票とすることができる。
更に、ロール給紙が可能となるため、高効率で丁合が可能となり、その結果、複写帳票を安価に供給することができ、商売を有利に展開することが可能となる。
２）請求項３，請求項５に記載のように、長期間保存の必要が無い用途の複写帳票の場合、２枚目を自己発色の伝票とし、２枚目以降の紙片を伝票として活用することができる。
【発明を実施するための最良の形態】
【００１３】
以下図面を参照して、本発明の好適な一実施形態である複写帳票について説明する。
図１は、本発明の複写帳票を長辺に平行に切断した時の断面の1例を示す模式図，図２は、ロール給紙による丁合方法について説明するための模式図，図３は、折り形式のフォームで給紙する丁合方式について説明するための模式図，図４は、ロール給紙による丁合方式と裏カーボンによる汚れの関係について説明するための模式図，である。
【００１４】
図１を参照して本発明の複写帳票について説明する。
複写帳票１は、最上位紙片１１，２枚目紙片１２，３枚目紙片１３，最下紙片（表示せず）が接合部２で接合され、接合部２の近傍には伝票を切り離すための切取りミシン３が施される。
複写帳票は、最上位紙片に文字情報が記入された時に、各枚目の定められた位置に正しく複写されるように接合部２によって固定する。接合部２は、エマルジョン，ホットメルトなどの接着剤や、金属，紙によるホチキスなどによって固定される。
また、接合部２には、表示しないが、複写帳票作製時に用紙を搬送するために開けられたスプロケットホールが形成されている。
【００１５】
最上位紙片１１は、本実施の形態では光学読取り処理（以下ＯＣＲ処理という。）されるため、ＯＣＲ用紙を使用する。ＯＣＲ用紙は、紙を抄造する際に黒色系の塵が混入しないように厳しく管理された紙である。
図１に示す最上位紙片のＯＣＲ処理される周辺部の印刷には、読取り装置の光源の波長で反射され易い印刷インキ４（ドロップアウトカラー）が使用される。
このようにＯＣＲ処理される紙面は、汚れを嫌うためにＯＣＲ用紙が使用される。
【００１６】
複写帳票は、複写枚数が多くなるほど最下位紙片の複写が不鮮明になる。
従って、複写枚数が多い複写帳票には複写を鮮明にするため薄い紙が使用される。
【００１７】
複写帳票１の全てに長期保存性が要求される場合は、２枚目紙片は、複写のためだけに使用され、最上位紙片１１と接する表面には印刷などを行わず、裏面には全面、または、必要な部分に複写材料であるカーボン５を印刷して使用する。
長期保存の必要がない複写帳票に対しては、２枚目の紙片に自己発色紙を使用し、複写伝票として利用することもできる。
【００１８】
複写帳票１の全てに長期保存性が要求される場合は、３枚目、４枚目の紙片の裏面には接合部を除く全面、または、必要な部分に、複写材料５，６としてカーボンなどの顔料を塗布して使用する。
複写帳票全体に長期保存性が要求されない場合は、３枚目の紙片はノーカーボン紙の中用紙（ミドル用紙），最下紙片（以下４枚目紙片という。）は、ノーカーボン紙の下用紙（ボトム用紙）を使用することができる。ノーカーボン紙を使用する場合は、複写材料５，６は、染料系の発色剤を内包したカプセルとなり、カプセルに接する面は、顕色剤となる。
【００１９】
また、２枚目，３枚目，４枚目に使用される紙は、ＯＣＲ紙である必要がなく、また、印刷に使用されるインキも、ドロップアウトカラーである必要はない。
【００２０】
ここで、複写帳票に使用される紙材料について説明する。
最上位紙片は、ＯＣＲ用紙（５２．３〜６４ｇ／ｍ2），２枚目の紙は、例えば、模造紙（３０．２〜３４．９ｇ／ｍ2），３枚目の紙は、例えば、複写用紙（４１．０〜５０．０ｇ／ｍ2），４枚目の紙は、例えば、上質紙（５２．３〜６４ｇ／ｍ2）を使用する。
ノーカーボン紙の場合は、上用紙，中用紙，下用紙として、（原紙ベースで）３０．０〜１５７ｇ／ｍ2の紙を使用する。
【００２１】
カーボン複写材料の有色顔料として、カーボンブラック，群青，紺青，レーキレッド等（５〜３５％），流動性油分として、鉱物油，グリース，植物性不乾性油，石油系ワセリン等（２０〜４０％），ワックスとして、カルナバワックス，パラフィン，合成ワックス，モンタンワックス，鉱物ワックス等（３０〜７０％），バインダーとして、木ロウ，ミツロウ，セレシンワックス，鯨ロウ等のワックス，必要に応じて、低分子量ポリエチレン，酸化ワックス，エステルワックス等から選択し、適量混合して作製する。
【００２２】
ノーカーボン複写材料の発色剤として、例えば、クリスタルバイオレットラクトンや、３，６−ビス−ジフェニルアミノフルオランなどの青系染料，２−アニリノ−３−メチル−６−Ｎ−メチル−ペンチルアミノフルオランや、２−アニリノ−３−クロロ−６−ジメチルフルオランなどの黒系染料などから選択してマイクロカプセルに内包する。
前記作製したカプセルを、カプセル壁材とインキビヒクルの双方に親和性を有し、分散機能を有する物質、例えば、グリセリン，チレングリコールなどを混合して塗料化する。
【００２３】
ノーカーボン複写材料の顕色剤として、フェノール樹脂，酸性白土，活性白土などの電子受容性のレジンや、クレーを酸化チタン，炭酸カルシウム，酸化亜鉛などの白色顔料などとともに、スターチやポリビニリアルコールなどの水性バインダに混合させて作製する。
【００２４】
ノーカーボン複写材料の１種、自己発色性の塗料は、前述の発色剤と顕色剤を適量混合して作成する。
【００２５】
図２を参照してロール給紙による丁合方法について説明する。
ロール給紙型の丁合装置７には、複数のロール固定用シャフト７２が取りつけられており、また、それぞれの枚目の紙をフィードするためのピントラクタ（図示せず）が取りつけられている。
各枚目の伝票が前述のピントラクタにセットされる前に、接合用の接着剤が紙の表面にライン、または、スポット状に形成され、矢印の方向に移動する途中で乾燥させ、カッター７１で単票（１）に切断して単票化する。
図２に示すように、丁合装置７のロール固定用シャフト７２に各枚目のロールが固定され、４枚目１４０，３枚目１３０，２枚目１２０，１枚目１１０の順に重ねられる。
丁合の準備が整ったら、４枚目１４０，３枚目１３０，２枚目１２０の紙の表面（上面）に糊付け装置（図示せず）をセットし、接着剤を塗布しながら矢印の方向に紙を駆動し糊を乾燥させ、カッター７１で単票（１）に切断して単票化する。
【００２６】
図３を参照して、折り形式のフォームによる丁合方法について説明する。
折り形式のフォームによる丁合装置７０には、ロールを固定するためのロール固定用シャフトが付いていないこと以外は、ロール給紙型の丁合装置と略同様である。
図２に示すように、４枚目１４００，３枚目１３００，２枚目１２００，１枚目１１００の順番に重ねられ、丁合の準備が整ったら、４枚目１４００，３枚目１３００，２枚目１２００の紙の上面に糊付け装置（図示せず）をセットし、接着剤を塗布しながら矢印の方向に紙を駆動する。
【００２７】
図３に示す折状のフォームは、折りミシンが折られたり伸ばされたりするために折りミシンの部分で切断し易く、丁合スピードが上がらない。
前記折り形式のフォームによる丁合方式に比べ、図２に示すロール給紙による丁合方式は、紙の状態が均質であることや、折りミシンが変化しない為に高スピードで丁合が可能で高能率で丁合ができる。
【００２８】
図４を参照して、ロール給紙による丁合方式と裏カーボンによる汚れの関係について説明する。
図４は、ロール紙の裏面１１ｂにカーボン（複写材料）５が塗布され、紙が巻き取られた状態を示している。
図４で解るように、紙の裏面１１ｂに塗布されたカーボン（複写材料）５が内側に巻かれた紙の表側１１ａに接触し、紙が引っ張られて締め付けられると、カーボンとカーボンが接触する紙の面に擦れが生じ、カーボン５が紙の表側１１ａに転移してしまう。
これが汚れとなってＯＣＲ処理の妨げとなる。
【産業上の利用可能性】
【００２９】
領収書，納品書，配送伝票，売上伝票などのＯＣＲ処理される伝票を有する複写帳票に利用できる。
【図面の簡単な説明】
【００３０】
【図１】本発明の複写帳票を長辺に平行に切断した時の断面の1例を示す模式図である。
【図２】ロール給紙による丁合方法について説明するための模式図である。
【図３】折り形式のフォームで給紙する丁合方式について説明するための模式図である。
【図４】ロール給紙による丁合方式と裏カーボンによる汚れの関係について説明するための模式図である。
【符号の説明】
【００３１】
１，１０  複写帳票
２      接合部
３      切取りミシン
４      印刷インキ
５，６  複写材料
７，７０  丁合装置
１１    最上位紙片
１１ａ  ロール紙の表面
１１ｂ  ロール紙の裏面
１２    ２枚目紙片
１３    ３枚目紙片
１４    ４枚目紙片
７１    カッター
７２    ロール固定用シャフト
１１０  １枚目ロール
１１１  ２枚目ロール
１１０  ３枚目ロール
１１０  ４枚目ロール
１１００  １枚目のフォーム
１２００  ２枚目のフォーム
１３００  ３枚目のフォーム
１４００  ４枚目のフォーム
【図１】
2005231181.tif 000003
【図２】
2005231181.tif 000004
【図３】
2005231181.tif 000005
【図４】
2005231181.tif 000006